(57)【要約】【課題】  荷物をマスクとともに保持する鞄において、荷物を出し入れするときに、収納しているマスクに使用者の手指が触れてしまう危険性を減らし、またマスクを着脱しようとするに際して、収容している荷物に使用者の手指やマスクが触れてしまう危険性を減らすこと。【解決手段】  被収納物をマスクとともに保持する鞄１０は、一方の長辺側が被収納物を収納する鞄本体２０の外殻部材２１に形成されたマスク保持部２２に結合されたフラップ４０を有する。マスク保持部２２とフラップ４０とによりマスクＭを広げた状態で挟持する。【選択図】    図１
0003232019.tif 000002
【実用新案登録請求の範囲】
【請求項１】
被収納物をマスクとともに保持する鞄において、
一方の長辺側が前記被収納物を収納する鞄本体の外殻部材に形成されたマスク保持部に結合された第１板材を有し、
前記マスク保持部と前記第１板材とにより前記マスクを広げた状態で挟持する鞄。
【請求項２】
前記第１板材は前記マスク保持部に対し、着脱自在に結合している請求項１に記載の鞄。
【請求項３】
前記マスク保持部及び前記第１板材の前記マスク保持部側の面には、抗菌層が形成される請求項１に記載の鞄。
【請求項４】
一方の長辺側が前記第１板材と前記マスク保持部に結合された位置で結合された第２板材を有し、
前記第１板材と前記第２板材とにより前記マスクを広げた状態で挟持する請求項１に記載の鞄。
【請求項５】
前記第１板材の前記第２板材側の面及び前記第２板材の前記第１板材側の面には、抗菌層が形成される請求項４に記載の鞄。
【考案の詳細な説明】
【技術分野】
【０００１】
本考案は、マスクを保持するマスク収納部を有する鞄に関する。
【背景技術】
【０００２】
荷物（被収納物）等を収容するための様々な鞄が知られている。このような鞄の中には、手提鞄、クラッチバッグ、ショルダーバッグ、トートバッグ等の様々な種類が知られている。鞄によっては、携帯機器を収納する特別な収容スペースを設けたものが知られている。（例えば、特許文献１参照）。
【０００３】
近年、花粉やウィルス、粉塵等の様々な粒子の吸引を防ぐために、あるいは、咳やくしゃみなどにより発生する飛沫等の拡散を防止するために、また口内環境を湿潤に保つためにマスクを使用する機会が増えている。
【０００４】
マスクは、食事や洗顔等の際は外し、鞄やポケット等に一時保管する必要がある。このような時、マスクを一時的かつ衛生的に保管するマスクケースが種々検討されている（例えば、特許文献２参照。）。これらのマスクケースでは、埃が付着することを防止できると共に、マスクの型崩れを防止することができる。
【０００５】
このように鞄やマスクケースは便利ではあるが、それぞれ別個に持ち歩く必要があり、非常に煩雑であった。
【０００６】
荷物をマスクとともに保持できる鞄が考えられるが、その場合、鞄を開いて、荷物を出し入れするときに、鞄に保管しているマスクに使用者の手指が触れてしまう虞がある。また鞄からマスクを出し入れする際に、鞄に保持させている荷物に使用者の手指やマスクが触れてしまう虞もある。
【先行技術文献】
【特許文献】
【０００７】
【特許文献１】特開２００３−１０２５３０号公報
【特許文献２】実用新案登録第３２２９１４８号公報
【考案の概要】
【考案が解決しようとする課題】
【０００８】
荷物をマスクとともに保持する鞄において、荷物を出し入れするときに、鞄に保管しているマスクに使用者の手指が触れてしまう危険性を減らし、また鞄からマスクを出し入れする際にも、鞄に収納されている荷物に使用者の手指やマスクが触れてしまう危険性を減らすことが望まれている。
【課題を解決するための手段】
【０００９】
本考案の実施形態に係る被収納物をマスクとともに保持する鞄１０は、一方の長辺側が被収納物を収納する鞄本体２０の外殻部材２１に形成されたマスク保持部２２に結合されたフラップ４０を有する。マスク保持部２２とフラップ４０とによりマスクＭを広げた状態で挟持する。
【図面の簡単な説明】
【００１０】
【図１】本考案の第１実施形態に係る鞄を一方向から見た斜視図。
【図２】図１の鞄に複数のマスクを収納した状態を示す斜視図。
【図３】本考案の第２実施形態に係る鞄を一方向から見た斜視図。
【図４】本考案の第３実施形態に係る鞄を一方向から見た斜視図。
【図５】本考案の第４実施形態に係る鞄を一方向から見た斜視図。
【考案を実施するための形態】
【００１１】
以下、図に基づいて、本考案の実施形態について説明する。  
＜第１実施形態＞
図１に示すように、本実施形態に係る鞄１０は、荷物（被収納物）を保持し、それとともに、平型のマスクＭを保持する機能を有している。鞄１０としては、ビジネスバッグ、ハンドバッグ、トートバッグ、パソコンバッグ（パソコンケースともいう）、タブレットバック（パソコンケースともいう）など様々なタイプの総称であり、収容する対象や形態には特に限定はなく、被収容物を収容する可搬性のある袋状、箱形その他の形態を有する用具として定義される。なお、マスクＭの表面をＭａ、装着者の口に接する裏面をＭｂ、耳に引っ掛ける耳掛部をＳとする。マスクＭは、使用目的に応じて布製・不織布製・紙製等の様々な材質から形成されている。
【００１２】
本実施形態に係る鞄１０は、皮革や樹脂等の比較的硬質な材質で形成され、鞄本体２０と、鞄本体２０に取り付けられたショルダーベルト３０とを有する。鞄本体２０は、内部に荷物を収納できる箱型の外殻部材２１を備えている。外殻部材２１の側面における点線で示す領域に矩形状のマスク保持部２２が形成されている。外殻部材２１の上部にはファスナ２１ａが取り付けられており、外殻部材２１内に収納される荷物が不用意に飛び出さないように外殻部材２１を閉じる機能を有している。マスク保持部２２には面ファスナ２２ａが取り付けられている。
【００１３】
マスク保持部２２の下端には、フラップ（第１板材）４０が取り付けられている。フラップ４０は、マスク保持部２２に対峙する保護面４１と、その裏面に相当する外郭面４２を有している。フラップ４０の下方の長辺４３がマスク保持部２２の下方に一体的、かつ、揺動可能に連結されており、図１中矢印Ｐ方向に閉じることが可能である。
【００１４】
保護面４１には、前述した面ファスナ２２ａに着脱係合する面ファスナ４１ａが取り付けられている。面ファスナ２２ａに面ファスナ４１ａを係合させることで、マスク保持部２２とフラップ４０の間でマスクＭを挟持することができる。面ファスナ２２ａ及び面ファスナ４１ａは、使用者の手で容易に着脱可能で、かつ、自重で開かないものであれば、磁石、ボタン、ホックを用いてもよい。
【００１５】
このように鞄本体２０に収納される荷物を出し入れする場合と、マスク保持部２２とフラップ４０の間で挟持されたマスクＭを出し入れする場合とで、ファスナ２１ａの開け閉め、面ファスナ２２ａと面ファスナ４１ａとの着脱を独立して行うことができる。したがって、荷物を使用者が出し入れする際に、鞄本体２０に保持しているマスクＭに使用者の手指が触れてしまう危険が低減され得る。また当該鞄本体２０にマスクＭを装着しようとするに際して、また当該鞄本体２０からマスクＭを取り外すに際して当該鞄本体２０に収納させている荷物に使用者の手指やマスクＭが触れてしまう危険が低減され得る。
【００１６】
なお、マスク保持部２２、及び、フラップ４０の保護面４１に抗菌層を形成するようにしてもよい。マスクＭの表面Ｍａ及び裏面Ｍｂは、マスク保持部２２の抗菌層及びフラップ４０の保護面４１の抗菌層に接触し、菌の繁殖が防止される。抗菌層は、抗菌性とともに弾性を有している。抗菌層は、抗菌剤が塗布又は練りこまれた弾性部材（ポリウレタン、ゴム、綿等）で構成される。もちろん抗菌層は、抗菌剤が塗布、又は、練りこまれた天然繊維、化学繊維、樹脂繊維又は金属繊維の層と、弾性部材（ポリウレタン、ゴム、綿等）の層と積層された２層構造であってもよい。また、抗菌層は弾性を有しているので、折り畳み時にマスクＭとの密着性を高めることができる。
【００１７】
このように構成された鞄１０は、次のようにして用いる。荷物を収納する際は、ファスナ２１ａを開けて鞄本体２０内に収納し、取り出す際は、ファスナ２１ａを開けて鞄本体２０内から取り出す。出し入れしない場合にはファスナ２１ａを閉じる。
【００１８】
マスクＭを収納させる場合は、面ファスナ２２ａと面ファスナ４１ａとの係合を解除し、フラップ４０を開き、マスク保持部２２とフラップ４０の保護面４１とに挟持させ、図１中矢印Ｐ方向に閉じ、面ファスナ２２ａと面ファスナ４１ａとを係合させる。マスクＭを取り出す場合は、面ファスナ２２ａと面ファスナ４１ａとの係合を解除し、フラップ４０を開き、マスク保持部２２とフラップ４０の保護面４１とに挟持されているマスクＭを引き出す。
【００１９】
マスク保持部２２、及び、フラップ４０の保護面４１に抗菌層を形成した場合には、フラップ４０を折り畳むことで、マスク保持部２２の抗菌層及びフラップ４０の保護面４１の抗菌層はマスクＭの表面Ｍａ及び裏面Ｍｂに当接して挟持される。マスクＭを露出させることなく保持することができるとともに、抗菌層の抗菌作用により、マスクＭ内でのウィルスや菌の増殖を防止する抗菌効果を発揮できる。
【００２０】
このように本実施形態に係る鞄によれば、荷物の出し入れとマスクの出し入れを独立して行うことができるため、荷物を収容しつつ、マスクを収容することで埃の付着や型崩れを防止でき、それと共に付着した細菌類の増殖を防止することが可能となる。特に、荷物側とマスク側とを独立して開くので、荷物の出し入れ時にはマスクには触れにくく、逆にマスクの出し入れ時には荷物には触れにくいため、使用者による不用意な接触機会を減らすことで、菌の無用な移動を防止することができる。
【００２１】
なお、上述した例では、１枚のフラップを用いて１枚のマスクを保持しているが、フラップの数は１枚に限られない。すなわち、図２に示す鞄本体２０Ａには、フラップ４０の外側にフラップ５０及びフラップ６０が設けられている。なお、図２において図１と同一機能部分には同一符号を付し、その詳細な説明は省略する。
【００２２】
フラップ４０の下方の長辺４３には、フラップ５０が取り付けられている。フラップ４０の外郭面４２には、面ファスナ４２ａが取り付けられている。フラップ５０は、フラップ４０の外郭面４２に対峙する保護面５１と、その裏面に相当する外郭面５２を有している。外郭面５２には、面ファスナ５２ａが取り付けられている。フラップ５０の下方の長辺５３がフラップ４０の下方の長辺４３に一体的、かつ、揺動可能に連結されており、図２中矢印Ｐ方向に閉じることが可能である。
【００２３】
保護面５１には、前述した面ファスナ４２ａに着脱係合する面ファスナ５１ａが取り付けられている。面ファスナ４２ａに面ファスナ５１ａを係合させることで、フラップ４０とフラップ５０の間でマスクＭを挟持することができる。面ファスナ４２ａ及び面ファスナ５１ａは、使用者の手で容易に着脱可能で、かつ、自重で開かないものであれば、磁石、ボタン、ホックを用いてもよい。
【００２４】
フラップ５０の下方の長辺５３には、フラップ６０が取り付けられている。フラップ６０は、フラップ５０の外郭面５２に対峙する保護面６１と、その裏面に相当する外郭面６２を有している。フラップ６０の下方の長辺６３がフラップ５０の下方の長辺５３に一体的、かつ、揺動可能に連結されており、図２中矢印Ｐ方向に閉じることが可能である。
【００２５】
保護面６１には、前述した面ファスナ５２ａに着脱係合する面ファスナ６１ａが取り付けられている。面ファスナ５２ａに面ファスナ６１ａを係合させることで、フラップ５０とフラップ６０の間でマスクＭを挟持することができる。面ファスナ５２ａ及び面ファスナ６１ａは、使用者の手で容易に着脱可能で、かつ、自重で開かないものであれば、磁石、ボタン、ホックを用いてもよい。
【００２６】
このように鞄本体２０Ａに収納される荷物を出し入れする場合と、マスク保持部２２とフラップ４０の間で挟持されたマスクＭ、フラップ４０とフラップ５０の間で挟持されたマスクＭ、フラップ５０とフラップ６０の間で挟持されたマスクＭを出し入れする場合とで、ファスナ２１ａの開け閉め、面ファスナ２２ａと面ファスナ４１ａとの着脱を独立して行うことができる。したがって、荷物を使用者が出し入れする際に、鞄本体２０に保持しているマスクＭに使用者の手指が触れてしまう危険が低減され得る。また当該鞄本体２０にマスクＭを装着しようとするに際して、また当該鞄本体２０からマスクＭを取り外すに際して当該鞄本体２０に収納させている荷物に使用者の手指やマスクＭが触れてしまう危険が低減され得る。
【００２７】
なお、フラップ４０の保護面４１及び外郭面４２、フラップ５０の保護面５１及び外郭面５２、フラップ６０の保護面６１に抗菌層を形成するようにしてもよい。マスクＭの表面Ｍａ及び裏面Ｍｂは、フラップ４０の保護面４１及び外郭面４２、フラップ５０の保護面５１及び外郭面５２、フラップ６０の保護面６１の抗菌層に接触し、菌の繁殖が防止される。
【００２８】
このように構成された場合においても、荷物を収納する際は、ファスナ２１ａを開けて鞄本体２０Ａ内に収納し、取り出す際は、ファスナ２１ａを開けて鞄本体２０Ａ内から取り出す。出し入れしない場合にはファスナ２１ａを閉じる。
【００２９】
マスクＭをマスク保持部２２とフラップ４０との間に保持させる場合は、面ファスナ２２ａと面ファスナ４１ａとの係合を解除し、フラップ４０を開き、マスク保持部２２とフラップ４０の保護面４１とに挟持させ、図２中矢印Ｐ方向に閉じ、面ファスナ２２ａと面ファスナ４１ａとを係合させる。マスクＭを取り出す場合は、面ファスナ２２ａと面ファスナ４１ａとの係合を解除し、フラップ４０を開き、マスク保持部２２とフラップ４０の保護面４１とに挟持されているマスクＭを引き出す。
【００３０】
マスクＭをフラップ４０とフラップ５０との間に保持させる場合は、面ファスナ４２ａと面ファスナ５１ａとの係合を解除し、フラップ５０を開き、フラップ４０の外郭面４２とフラップ５０の保護面５１とに挟持させ、図２中矢印Ｐ方向に閉じ、面ファスナ４２ａと面ファスナ５１ａとを係合させる。マスクＭを取り出す場合は、面ファスナ４２ａと面ファスナ５１ａとの係合を解除し、フラップ５０を開き、フラップ４０の外郭面４２とフラップ５０の保護面５１とに挟持されているマスクＭを引き出す。
【００３１】
マスクＭをフラップ５０とフラップ６０との間に保持させる場合は、面ファスナ５２ａと面ファスナ６１ａとの係合を解除し、フラップ６０を開き、フラップ５０の外郭面５２とフラップ６０の保護面６１とに挟持させ、図２中矢印Ｐ方向に閉じ、面ファスナ５２ａと面ファスナ６１ａとを係合させる。マスクＭを取り出す場合は、面ファスナ５２ａと面ファスナ６１ａとの係合を解除し、フラップ６０を開き、フラップ５０の外郭面５２とフラップ６０の保護面６１とに挟持されているマスクＭを引き出す。
【００３２】
フラップ４０の保護面４１及び外郭面４２、フラップ５０の保護面５１及び外郭面５２、フラップ６０の保護面６１に抗菌層を形成した場合、マスクＭの表面Ｍａ及び裏面Ｍｂは、フラップ４０の保護面４１及び外郭面４２、フラップ５０の保護面５１及び外郭面５２、フラップ６０の保護面６１の抗菌層に接触し、菌の繁殖が防止される。
【００３３】
このように本実施形態に係る鞄によれば、荷物の出し入れと複数のマスクの出し入れを独立して行うことができるため、荷物を収容しつつ、マスクを収容することで埃の付着や型崩れを防止でき、それと共に付着した細菌類の増殖を防止することが可能となる。特に、荷物側とマスク側とを独立して開くので、荷物の出し入れ時にはマスクには触れにくく、逆にマスクの出し入れ時には荷物には触れにくいため、使用者による不用意な接触機会を減らすことで、菌の無用な移動を防止することができる。
＜第２実施形態＞
図３に示すように、本実施形態に係る鞄７０は、荷物（被収納物）を保持し、それとともに、平型のマスクＭを保持する機能を有している。上述したマスクＭと抗菌層は同一機能を有しているため、詳細な説明は省略する。
【００３４】
本実施形態に係る鞄７０は、皮革や樹脂等の比較的硬質な材質で形成され、鞄本体８０を有する。鞄本体８０は、内部に荷物を収納できる箱型の外殻部材８１を備えている。外殻部材８１の側面における点線で示す領域に矩形状のマスク保持部８２が形成されている。外殻部材８１の上部にはファスナ８１ａが取り付けられており、外殻部材８１内に収納される荷物が不用意に飛び出さないように外殻部材８１を閉じる機能を有している。マスク保持部８２には面ファスナ８２ａが取り付けられている。
【００３５】
マスク保持部８２の下端には、フラップ（第１板材）９０が取り付けられている。フラップ９０は、マスク保持部８２に対峙する保護面９１と、その裏面に相当する外郭面９２を有している。フラップ９０の下方の長辺９３がマスク保持部８２の下方に一体的、かつ、揺動可能に連結されており、図３中矢印Ｐ方向に閉じることが可能である。
【００３６】
保護面９１には、前述した面ファスナ８２ａに着脱係合する面ファスナ９１ａが取り付けられている。面ファスナ８２ａに面ファスナ９１ａを係合させることで、マスク保持部８２とフラップ９０の間でマスクＭを挟持することができる。面ファスナ８２ａ及び面ファスナ９１ａは、使用者の手で容易に着脱可能で、かつ、自重で開かないものであれば、磁石、ボタン、ホックを用いてもよい。
【００３７】
このように鞄本体８０に収納される荷物を出し入れする場合と、マスク保持部８２とフラップ９０の間で挟持されたマスクＭを出し入れする場合とで、ファスナ８１ａの開け閉め、面ファスナ８２ａと面ファスナ９１ａとの着脱を独立して行うことができる。したがって、荷物を使用者が出し入れする際に、鞄本体８０に保持しているマスクＭに使用者の手指が触れてしまう危険が低減され得る。また当該鞄本体８０にマスクＭを装着しようとするに際して、また当該鞄本体８０からマスクＭを取り外すに際して当該鞄本体８０に収納させている荷物に使用者の手指やマスクＭが触れてしまう危険が低減され得る。
【００３８】
なお、マスク保持部８２、及び、フラップ９０の保護面９１に抗菌層を形成するようにしてもよい。マスクＭの表面Ｍａ及び裏面Ｍｂは、マスク保持部８２の抗菌層及びフラップ９０の保護面９１の抗菌層に接触し、菌の繁殖が防止される。抗菌層は、抗菌性とともに弾性を有している。抗菌層は、抗菌剤が塗布又は練りこまれた弾性部材（ポリウレタン、ゴム、綿等）で構成される。もちろん抗菌層は、抗菌剤が塗布、又は、練りこまれた天然繊維、化学繊維、樹脂繊維又は金属繊維の層と、弾性部材（ポリウレタン、ゴム、綿等）の層と積層された２層構造であってもよい。また、抗菌層は弾性を有しているので、折り畳み時にマスクＭとの密着性を高めることができる。
【００３９】
このように構成された鞄１０は、次のようにして用いる。荷物を収納する際は、ファスナ８１ａを開けて鞄本体８０内に収納し、取り出す際は、ファスナ８１ａを開けて鞄本体８０内から取り出す。出し入れしない場合にはファスナ８１ａを閉じる。
【００４０】
マスクＭを収納させる場合は、面ファスナ８２ａと面ファスナ９１ａとの係合を解除し、フラップ９０を開き、マスク保持部８２とフラップ９０の保護面９１とに挟持させ、図１中矢印Ｐ方向に閉じ、面ファスナ８２ａと面ファスナ９１ａとを係合させる。マスクＭを取り出す場合は、面ファスナ８２ａと面ファスナ９１ａとの係合を解除し、フラップ９０を開き、マスク保持部８２とフラップ９０の保護面９１とに挟持されているマスクＭを引き出す。
【００４１】
マスク保持部８２、及び、フラップ９０の保護面９１に抗菌層を形成した場合には、フラップ９０を折り畳むことで、マスク保持部８２の抗菌層及びフラップ９０の保護面９１の抗菌層はマスクＭの表面Ｍａ及び裏面Ｍｂに当接して挟持される。マスクＭを露出させることなく保持することができるとともに、抗菌層の抗菌作用により、マスクＭ内でのウィルスや菌の増殖を防止する抗菌効果を発揮できる。
【００４２】
このように本実施形態に係る鞄によれば、荷物の出し入れとマスクの出し入れを独立して行うことができるため、荷物を収容しつつ、マスクを収容することで埃の付着や型崩れを防止でき、それと共に付着した細菌類の増殖を防止することが可能となる。特に、荷物側とマスク側とを独立して開くので、荷物の出し入れ時にはマスクには触れにくく、逆にマスクの出し入れ時には荷物には触れにくいため、使用者による不用意な接触機会を減らすことで、菌の無用な移動を防止することができる。
＜第３実施形態＞
図４に示すように、本実施形態に係る鞄１００は、荷物（被収納物）を保持し、それとともに、平型のマスクＭを保持する機能を有している。上述したマスクＭと抗菌層は同一機能を有しているため、詳細な説明は省略する。
【００４３】
本実施形態に係る鞄１００は、皮革や樹脂等の比較的硬質な材質で形成され、鞄本体１１０と把手１２０を有する。鞄本体１１０は、内部に荷物を収納できる箱型の外殻部材１１１を備えている。外殻部材１１１の側面における点線で示す領域に矩形状のマスク保持部１１２が形成されている。外殻部材１１１の上部には開閉蓋１１１ａが取り付けられており、外殻部材１１１内に収納される荷物が不用意に飛び出さないように外殻部材１１１を閉じる機能を有している。マスク保持部１１２には面ファスナ１１２ａが取り付けられている。
【００４４】
マスク保持部１１２の下端には、フラップ（第１板材）１３０が取り付けられている。フラップ１３０は、マスク保持部１１２に対峙する保護面１３１と、その裏面に相当する外郭面１３２を有している。フラップ１３０の下方の長辺１３３がマスク保持部１１２の下方に一体的、かつ、揺動可能に連結されており、図３中矢印Ｐ方向に閉じることが可能である。
【００４５】
保護面１３１には、前述した面ファスナ１１２ａに着脱係合する面ファスナ１３１ａが取り付けられている。面ファスナ１１２ａに面ファスナ１３１ａを係合させることで、マスク保持部１１２とフラップ１３０の間でマスクＭを挟持することができる。面ファスナ１１２ａ及び面ファスナ１３１ａは、使用者の手で容易に着脱可能で、かつ、自重で開かないものであれば、磁石、ボタン、ホックを用いてもよい。
【００４６】
このように鞄本体１１０に収納される荷物を出し入れする場合と、マスク保持部１１２とフラップ１３０の間で挟持されたマスクＭを出し入れする場合とで、開閉蓋１１１ａの開け閉め、面ファスナ１１２ａと面ファスナ１３１ａとの着脱を独立して行うことができる。したがって、荷物を使用者が出し入れする際に、鞄本体１１０に保持しているマスクＭに使用者の手指が触れてしまう危険が低減され得る。また当該鞄本体１１０にマスクＭを装着しようとするに際して、また当該鞄本体１１０からマスクＭを取り外すに際して当該鞄本体１１０に収納させている荷物に使用者の手指やマスクＭが触れてしまう危険が低減され得る。
【００４７】
なお、マスク保持部１１２、及び、フラップ１３０の保護面１３１に抗菌層を形成するようにしてもよい。マスクＭの表面Ｍａ及び裏面Ｍｂは、マスク保持部１１２の抗菌層及びフラップ１３０の保護面１３１の抗菌層に接触し、菌の繁殖が防止される。抗菌層は、抗菌性とともに弾性を有している。抗菌層は、抗菌剤が塗布又は練りこまれた弾性部材（ポリウレタン、ゴム、綿等）で構成される。もちろん抗菌層は、抗菌剤が塗布、又は、練りこまれた天然繊維、化学繊維、樹脂繊維又は金属繊維の層と、弾性部材（ポリウレタン、ゴム、綿等）の層と積層された２層構造であってもよい。また、抗菌層は弾性を有しているので、折り畳み時にマスクＭとの密着性を高めることができる。
【００４８】
このように構成された鞄１０は、次のようにして用いる。荷物を収納する際は、開閉蓋１１１ａを開けて鞄本体１１０内に収納し、取り出す際は、開閉蓋１１１ａを開けて鞄本体１１０内から取り出す。出し入れしない場合には開閉蓋１１１ａを閉じる。
【００４９】
マスクＭを収納させる場合は、面ファスナ１１２ａと面ファスナ１３１ａとの係合を解除し、フラップ１３０を開き、マスク保持部１１２とフラップ１３０の保護面１３１とに挟持させ、図１中矢印Ｐ方向に閉じ、面ファスナ１１２ａと面ファスナ１３１ａとを係合させる。マスクＭを取り出す場合は、面ファスナ１１２ａと面ファスナ１３１ａとの係合を解除し、フラップ１３０を開き、マスク保持部１１２とフラップ１３０の保護面１３１とに挟持されているマスクＭを引き出す。
【００５０】
マスク保持部１１２、及び、フラップ１３０の保護面１３１に抗菌層を形成した場合には、フラップ１３０を折り畳むことで、マスク保持部１１２の抗菌層及びフラップ１３０の保護面１３１の抗菌層はマスクＭの表面Ｍａ及び裏面Ｍｂに当接して挟持される。マスクＭを露出させることなく保持することができるとともに、抗菌層の抗菌作用により、マスクＭ内でのウィルスや菌の増殖を防止する抗菌効果を発揮できる。
【００５１】
このように本実施形態に係る鞄によれば、荷物の出し入れとマスクの出し入れを独立して行うことができるため、荷物を収容しつつ、マスクを収容することで埃の付着や型崩れを防止でき、それと共に付着した細菌類の増殖を防止することが可能となる。特に、荷物側とマスク側とを独立して開くので、荷物の出し入れ時にはマスクには触れにくく、逆にマスクの出し入れ時には荷物には触れにくいため、使用者による不用意な接触機会を減らすことで、菌の無用な移動を防止することができる。
＜第４実施形態＞
図５に示すように、本実施形態に係る鞄１４０は、荷物（被収納物）を保持し、それとともに、平型のマスクＭを保持する機能を有している。上述したマスクＭと抗菌層は同一機能を有しているため、詳細な説明は省略する。
【００５２】
本実施形態に係る鞄１４０は、皮革や樹脂等の比較的硬質な材質で形成され、鞄本体１５０と把手１６０を有する。鞄本体１５０は、内部に荷物を収納できる箱型の外殻部材１５１を備えている。外殻部材１５１の側面における点線で示す領域に矩形状のマスク保持部１５２が形成されている。外殻部材１５１の上部には開口部１５１ａが設けられている。マスク保持部１５２には面ファスナ１５２ａが取り付けられている。
【００５３】
マスク保持部１５２の下端には、フラップ（第１板材）１７０が取り付けられている。フラップ１７０は、マスク保持部１５２に対峙する保護面１７１と、その裏面に相当する外郭面１７２を有している。フラップ１７０の下方の長辺１７３がマスク保持部１５２の下方に一体的、かつ、揺動可能に連結されており、図３中矢印Ｐ方向に閉じることが可能である。
【００５４】
保護面１７１には、前述した面ファスナ１５２ａに着脱係合する面ファスナ１７１ａが取り付けられている。面ファスナ１５２ａに面ファスナ１７１ａを係合させることで、マスク保持部１５２とフラップ１７０の間でマスクＭを挟持することができる。面ファスナ１５２ａ及び面ファスナ１７１ａは、使用者の手で容易に着脱可能で、かつ、自重で開かないものであれば、磁石、ボタン、ホックを用いてもよい。
【００５５】
このように鞄本体１５０に収納される荷物を出し入れする場合と、マスク保持部１５２とフラップ１７０の間で挟持されたマスクＭを出し入れする場合とで、開口部１５１ａの開け閉め、面ファスナ１５２ａと面ファスナ１７１ａとの着脱を独立して行うことができる。したがって、荷物を使用者が出し入れする際に、鞄本体１５０に保持しているマスクＭに使用者の手指が触れてしまう危険が低減され得る。また当該鞄本体１５０にマスクＭを装着しようとするに際して、また当該鞄本体１５０からマスクＭを取り外すに際して当該鞄本体１５０に収納させている荷物に使用者の手指やマスクＭが触れてしまう危険が低減され得る。
【００５６】
なお、マスク保持部１５２、及び、フラップ１７０の保護面１７１に抗菌層を形成するようにしてもよい。マスクＭの表面Ｍａ及び裏面Ｍｂは、マスク保持部１５２の抗菌層及びフラップ１７０の保護面１７１の抗菌層に接触し、菌の繁殖が防止される。抗菌層は、抗菌性とともに弾性を有している。抗菌層は、抗菌剤が塗布又は練りこまれた弾性部材（ポリウレタン、ゴム、綿等）で構成される。もちろん抗菌層は、抗菌剤が塗布、又は、練りこまれた天然繊維、化学繊維、樹脂繊維又は金属繊維の層と、弾性部材（ポリウレタン、ゴム、綿等）の層と積層された２層構造であってもよい。また、抗菌層は弾性を有しているので、折り畳み時にマスクＭとの密着性を高めることができる。
【００５７】
このように構成された鞄１０は、次のようにして用いる。荷物を収納する際は、開口部１５１ａを開けて鞄本体１５０内に収納し、取り出す際は、開口部１５１ａを開けて鞄本体１５０内から取り出す。出し入れしない場合には開口部１５１ａを閉じる。
【００５８】
マスクＭを収納させる場合は、面ファスナ１５２ａと面ファスナ１７１ａとの係合を解除し、フラップ１７０を開き、マスク保持部１５２とフラップ１７０の保護面１７１とに挟持させ、図１中矢印Ｐ方向に閉じ、面ファスナ１５２ａと面ファスナ１７１ａとを係合させる。マスクＭを取り出す場合は、面ファスナ１５２ａと面ファスナ１７１ａとの係合を解除し、フラップ１７０を開き、マスク保持部１５２とフラップ１７０の保護面１７１とに挟持されているマスクＭを引き出す。
【００５９】
マスク保持部１５２、及び、フラップ１７０の保護面１７１に抗菌層を形成した場合には、フラップ１７０を折り畳むことで、マスク保持部１５２の抗菌層及びフラップ１７０の保護面１７１の抗菌層はマスクＭの表面Ｍａ及び裏面Ｍｂに当接して挟持される。マスクＭを露出させることなく保持することができるとともに、抗菌層の抗菌作用により、マスクＭ内でのウィルスや菌の増殖を防止する抗菌効果を発揮できる。
【００６０】
このように本実施形態に係る鞄によれば、荷物の出し入れとマスクの出し入れを独立して行うことができるため、荷物を収容しつつ、マスクを収容することで埃の付着や型崩れを防止でき、それと共に付着した細菌類の増殖を防止することが可能となる。特に、荷物側とマスク側とを独立して開くので、荷物の出し入れ時にはマスクには触れにくく、逆にマスクの出し入れ時には荷物には触れにくいため、使用者による不用意な接触機会を減らすことで、菌の無用な移動を防止することができる。
【００６１】
なお、上記実施形態に限定されるものではなく、実施段階ではその要旨を逸脱しない区域で種々に変形することが可能である。また、各実施形態は適宜組み合わせて実施してもよく、その場合組み合わせた効果が得られる。更に、上記実施形態には種々の考案が含まれており、開示される複数の構成要件から選択された組み合わせにより種々の考案が抽出され得る。例えば、実施形態に示される全構成要件からいくつかの構成要件が削除されても、課題が解決でき、効果が得られる場合には、この構成要件が削除された構成が考案として抽出され得る。
【符号の説明】
【００６２】
１０…鞄、２０，２０Ａ…鞄本体、２１…外殻部材、２１ａ…ファスナ、２２…マスク保持部、２２ａ…面ファスナ、３０…ショルダーベルト、４０…フラップ（第１板材）、４１…保護面、４１ａ…面ファスナ、４２…外郭面、４２ａ…面ファスナ、４３…長辺、５０…フラップ、５１…保護面、５１ａ…面ファスナ、５２…外郭面、５２ａ…面ファスナ、５３…長辺、６０…フラップ、６１…保護面、６１ａ…面ファスナ、６２…外郭面、６３…長辺、７０…鞄、８０…鞄本体、８１…外殻部材、８１ａ…ファスナ、８２…マスク保持部、８２ａ…面ファスナ、９０…フラップ（第１板材）、９１…保護面、９１ａ…面ファスナ、９２…外郭面、９３…長辺、１００…鞄、１１０…鞄本体、１１１…外殻部材、１１１ａ…開閉蓋、１１２…マスク保持部、１１２ａ…面ファスナ、１２０…把手、１３０…フラップ（第１板材）、１３１…保護面、１３１ａ…面ファスナ、１３２…外郭面、１３３…長辺、１４０…鞄、１５０…鞄本体、１５１…外殻部材、１５１ａ…開口部、１５２…マスク保持部、１５２ａ…面ファスナ、１６０…把手、１７０…フラップ（第１板材）、１７１…保護面、１７１ａ…面ファスナ、１７２…外郭面、１７３…長辺
Ｍ…マスク。
【図１】
0003232019.tif 000003
【図２】
0003232019.tif 000004
【図３】
0003232019.tif 000005
【図４】
0003232019.tif 000006
【図５】
0003232019.tif 000007